(57)【特許請求の範囲】
【請求項１】
一連の行程に関連する予約を支援する統合された予約支援システムであって、
複数の外部サービスから行動履歴データを取得する行動履歴データ取得部と、
前記行動履歴データ取得部で取得した行動履歴データを記憶する行動履歴データ記憶部と、
ユーザ端末から出発地及び目的地の入力を受け付ける入出力部と、
前記行動履歴データ記憶部に記憶された前記行動履歴データを学習し、複数の予約すべき項目を含む行程テンプレートを作成する行程テンプレート作成部と、
前記入出力部で受け付けた前記出発地及び目的地に応じて、前記行程テンプレート作成部で作成された前記行程テンプレートを選択し、前記行動履歴データ記憶部に記憶された前記行動履歴データを学習して、選択した前記行程テンプレートの前記複数の予約すべき項目に関する予約候補のリコメンドを生成するリコメンド生成部と
を備え、
前記リコメンド生成部は、前記行動履歴データ記憶部に記憶された前記行動履歴データを学習して得られたユーザの行動履歴から、ユーザの現在の行動が、日常的行動であるか、非日常的行動であるかを判断し、日常的行動であるか、非日常的行動であるかに応じて、予約候補のリコメンドを生成することを特徴とする、前記統合された予約支援システム。
【請求項２】
前記入出力部は、前記リコメンド生成部で生成した前記予約候補のリコメンドをユーザ端末に出力することを特徴とする、請求項１に記載の統合された予約支援システム。
【請求項３】
前記リコメンド生成部は、選択した前記行程テンプレートの前記複数の予約すべき項目の少なくともいずれかについて予約が完了したことを、前記行動履歴データから検知することを特徴とする、請求項１又は２に記載の統合された予約支援システム。
【請求項４】
前記リコメンド生成部は、前記行程テンプレートの前記複数の予約すべき項目のうち、既に予約が完了している少なくとも１つ以上の予約完了項目の予約情報に基づいて、予約が完了していない少なくとも１つ以上の予約すべき項目に関する予約候補のリコメンドを更新することを特徴とする、請求項１〜３のいずれか一項に記載の統合された予約支援システム。
【請求項５】
前記リコメンド生成部は、現在の日時及びユーザ端末の現在の位置情報を取得し、作成した前記行程テンプレートに対応する行程に沿ってユーザが行動中であるか否かを判断し、ユーザが前記行程に沿って行動中であると判断した場合には、前記位置情報及び前記行程の進捗に合わせた新たな予約候補のリコメンドを生成することを特徴とする、請求項１〜４のいずれか一項に記載の統合された予約支援システム。
【請求項６】
前記リコメンド生成部は、前記行動履歴データ記憶部に記憶された前記行動履歴データを学習して得られたユーザの時間帯ごとの行動履歴から、現在の時刻に応じた予約候補のリコメンドを生成することを特徴とする、請求項１〜５のいずれか一項に記載の統合された予約支援システム。
【請求項７】
前記リコメンド生成部は、現在の日時及びユーザ端末の現在の位置情報を取得し、作成した前記行程テンプレートに対応する行程の通りにユーザが行動することを妨げる要因が生じた場合には、以降の行程について新たな予約候補のリコメンドを生成することを特徴とする、請求項１〜６のいずれか一項に記載の統合された予約支援システム。
【請求項８】
前記行動履歴データは、前記複数の外部サービスにおいてやり取りされる電子メールのメッセージ、ＳＮＳでやり取りされるメッセージ、カレンダーに記憶されたメッセージ、ニュースを提供するアプリケーションに記憶されたメッセージ、又はクラウド上に記憶されたメッセージであることを特徴とする、請求項１〜７のいずれか一項に記載の統合された予約支援システム。
【発明の詳細な説明】
【技術分野】
【０００１】
本発明は、統合された予約支援システムに関し、特に、モビリティクラウドを活用したシームレスな移動サービスを構築するための統合された予約支援システムに関する。
【背景技術】
【０００２】
近年、ＩＣＴ、自動運転等の急速な技術革新を背景としてモビリティクラウドを活用したシームレスな移動サービス（ＭａａＳ：Ｍｏｂｉｌｉｔｙ  ａｓ  ａ  ｓｅｒｖｉｃｅ）の分野への投資が進んでいる。その国内市場規模は２０３０年に６兆円超と予測されている。
【０００３】
国土交通省によれば、ＭａａＳは以下の２種類の類型に分類される。第１の類型は、統合的な検索サービス、決済、スマートフォンアプリなどの手段を通じ、複数の交通サービスを対象とした検索・予約・決済管理等を一体的に提供するものである。第２の類型は、オンデマンドバス、カーシェアリング、ライドシェアリング、自動運転サービスなど、利用者のニーズに柔軟に対応できる新しい交通サービスの提供するものである。これらを実現するためには、交通サービスの情報統合と合わせ、個々人にパーソナライズ化された検索、予約、決済、及び交通手段を提供することが課題となる。
【０００４】
一方、移動、宿泊、飲食等に関する従来の情報検索サイトにおいては、それぞれが異なる情報検索サービスとして展開されている。そのため、ユーザは、各サービス上で複数の項目や諸条件の入力を手作業で行う必要がある。例えば、旅行や出張の際には、移動、宿泊、飲食等の分野の異なるサービスについて、それぞれ検索をして予約をしなければならない。検索結果も各サービス上で表示されるため、複数のサービス上で複数の検索結果を比較検討することが負担となる。また、複数のサービス上でそれぞれに複数の候補が表示されることから、結果として不要な候補の情報も比較検討のために参照することとなり、無駄な時間や手間を要することとなる。
【０００５】
また、Ｃ２Ｃの宿泊サービスや、格安航空のＬＣＣ等においては、閑散期や繁忙期等の利用者の増減により価格が時々刻々と変動するダイナミック・プライシングを採用していることも多い。また、競合他社の利用金額・頻度が多いユーザがブランドスイッチにより自社サービスを利用することを期待して、大きなポイント還元やキャッシュバックを行われ、結果的にダイナミック・プライシングとなることもある。
【０００６】
そのような複雑な価格変動の仕組みや情報過多になりがちな検索結果を踏まえながら、ユーザが自ら最適な予約の組み合わせを選択することは難しい状況となりつつある。そのため、移動、宿泊、飲食等の異なるサービスを総合的に判断して最適な予約の組み合わせを提示することが可能なシステムが求められる。
【０００７】
旅行の予約を支援するシステムとして、特許文献１では、ウェブサイトを介して交通機関と宿泊施設とを組み合わせたパッケージツアーを予約する際に、候補として検索された候補交通機関情報と候補宿泊施設情報とをマトリクス状に配置された一覧表の形態でユーザに提示する旅行予約支援システムを開示している。
【０００８】
また、特許文献２では、一つの旅程を構成する各種情報や各種申込を、旅程企画者が提示する１つの旅程毎に１枚のウェブページ内から行えるようにし、また、一つの旅程を構成する各種情報や各種申込を、旅程順にかつ図解的にＰＲ表示および閲覧利用できるようにした情報処理システムを開示している。
【０００９】
また、特許文献３では、旅行の予約を行うためのＵＲＬと旅行関連項目とその項目値とを関連付けて記憶し、過去の旅行情報を項目値として記憶し、旅行に対するユーザの希望を項目値として受け付けて記憶し、記憶された情報に合致するＵＲＬを提示し、ユーザが選択したＵＲＬを検知し、検知したＵＲＬによって指定されるウェブページを表示し、表示されたウェブページにおける予約情報を取得し、取得した予約情報を項目値として記憶する旅行計画支援装置を開示している。
【先行技術文献】
【特許文献】
【００１０】
【特許文献１】特開２００６−１４６４３９号公報
【特許文献２】特開２０１２−２３４５０５号公報
【特許文献３】特開２０１３−２１８６０１号公報
【発明の概要】
【発明が解決しようとする課題】
【００１１】
特許文献１は、候補交通機関情報と候補宿泊施設情報とをマトリクス状に配置された一覧表の形態でユーザに提示することにより、パッケージツアーの予約に際してユーザの選択の自由度を拡大させ、ウェブサイトを利用して短時間で予約を行えるようにするものである。しかしながら、特許文献１は、交通機関と宿泊施設の組み合わせのみを考慮するものであり、旅程に含まれる飲食店や観光スポット等の複数の訪問先へのアクセスや予約については考慮されていない。
【００１２】
これに対し、特許文献２は、旅程企画者によって用意された１つの旅行プランの旅程を構成する観光スポット、飲食店や観光施設、宿泊施設、交通手段を、ウェブページ上の１枚の地図内に表示することで、１枚のウェブページ内からこれらの予約を行えるようにするものである。特許文献２では、交通機関、宿泊施設だけでなく、旅程に含まれる飲食店や観光スポット等を１枚のウェブページ内で同時に確認し、予約をすることができる。しかしながら、１枚のウェブページに表示される情報は、予め旅行企画者によって用意された旅行プランに基づくものであり、そのウェブページに表示されていないものについては、情報の取得や予約ができない。そのため、ユーザの細かなニーズや嗜好に合った選択肢が用意されているとは限らないという問題があった。
【００１３】
一方、特許文献３は、ユーザが過去に行った旅行の情報を項目値として記憶することで、旅行の計画の際に、ユーザの細かいニーズや無意識レベルで欲求している隠れたニーズに基づいた旅行関係情報を入手することができるようにするものである。しかしながら、特許文献３は、その旅行計画支援装置を利用して計画を行った過去の旅行についての情報は得られるものの、他のシステムやサービスを利用して計画や予約を行った過去の旅行についての情報は得ることができない。そのため、その旅行計画支援装置の利用頻度によっては、ユーザの細かいニーズや無意識レベルで欲求している隠れたニーズに基づいた旅行関係情報を十分に入手することができないという問題があった。
【００１４】
そこで、本発明は、上記課題を解決し、メールサービスやカレンダー、Ｔｏｄｏ、ニュースアプリ等のユーザが日常的に利用している複数の外部サービスを活用し、移動、宿泊、飲食等の種類の異なる複数のサービスの最適な組み合わせの予約候補を提示することが可能な統合された予約支援システムを提供するものである。
【課題を解決するための手段】
【００１５】
上記課題を解決するため、本発明では、一連の行程に関連する予約を支援する統合された予約支援システムを提供する。本発明による統合された予約支援システムは、複数の外部サービスから行動履歴データを取得する行動履歴データ取得部と、行動履歴データ取得部で取得した行動履歴データを記憶する行動履歴データ記憶部と、ユーザ端末から出発地及び目的地の入力を受け付ける入出力部と、行動履歴データ記憶部に記憶された行動履歴データを学習し、複数の予約すべき項目を含む行程テンプレートを作成する行程テンプレート作成部と、入出力部で受け付けた出発地及び目的地に応じて、行程テンプレート作成部で作成された行程テンプレートを選択し、行動履歴データ記憶部に記憶された行動履歴データを学習して、選択した行程テンプレートの複数の予約すべき項目に関する予約候補のリコメンドを生成するリコメンド生成部とを備えることを特徴とする。
【００１６】
本発明による統合された予約支援システムにおいて、入出力部は、リコメンド生成部で生成した予約候補のリコメンドをユーザ端末に出力することを特徴とする。
【００１７】
本発明による統合された予約支援システムにおいて、リコメンド生成部は、選択した行程テンプレートの複数の予約すべき項目の少なくともいずれかについて予約が完了したことを、行動履歴データから検知することを特徴とする。
【００１８】
本発明による統合された予約支援システムにおいて、リコメンド生成部は、行程テンプレートの複数の予約すべき項目のうち、既に予約が完了している少なくとも１つ以上の予約完了項目の予約情報に基づいて、予約が完了していない少なくとも１つ以上の予約すべき項目に関する予約候補のリコメンドを更新することを特徴とする。
【００１９】
本発明による統合された予約支援システムにおいて、リコメンド生成部は、現在の日時及びユーザ端末の現在の位置情報を取得し、作成した行程テンプレートに対応する行程に沿ってユーザが行動中であるか否かを判断し、ユーザが行程に沿って行動中であると判断した場合には、位置情報及び行程の進捗に合わせた新たな予約候補のリコメンドを生成することを特徴とする。
【００２０】
本発明による統合された予約支援システムにおいて、リコメンド生成部は、行動履歴データ記憶部に記憶された行動履歴データを学習して得られたユーザの時間帯ごとの行動履歴から、現在の時刻に応じた予約候補のリコメンドを生成することを特徴とする。
【００２１】
本発明による統合された予約支援システムにおいて、リコメンド生成部は、行動履歴データ記憶部に記憶された行動履歴データを学習して得られたユーザの行動履歴から、ユーザの現在の行動が、日常的行動であるか、非日常的行動であるかを判断し、日常的行動であるか、非日常的行動であるかに応じて、予約候補のリコメンドを生成することを特徴とする。
【００２２】
本発明による統合された予約支援システムにおいて、リコメンド生成部は、現在の日時及びユーザ端末の現在の位置情報を取得し、作成した前記行程テンプレートに対応する行程の通りにユーザが行動することを妨げる要因が生じた場合には、以降の行程について新たな予約候補のリコメンドを生成することを特徴とする。
【００２３】
本発明による統合された予約支援システムにおいて、行動履歴データは、前記複数の外部サービスにおいてやり取りされる電子メールのメッセージ、ＳＮＳでやり取りされるメッセージ、カレンダーに記憶されたメッセージ、ニュースを提供するアプリケーションに記憶されたメッセージ、又はクラウド上に記憶されたメッセージであることを特徴とする。
【発明の効果】
【００２４】
本発明の統合された予約支援システムによれば、メールサービスやカレンダー、Ｔｏｄｏ、ニュースアプリ等のユーザが日常的に利用している複数の外部サービスにおける行動履歴データを学習することにより、移動、宿泊、飲食等の種類の異なる複数のサービスの最適な組み合わせの予約候補を提示することができる。
【００２５】
また、本発明によれば、複数の外部サービスにおける行動履歴データを学習することにより、閑散期や繁忙期等の利用者の増減により価格が時々刻々と変動するダイナミック・プライシングを採用する複数のサービスが混在する中でも、ユーザに有利な組み合わせの予約候補を提示することが可能となる。
【００２６】
また、本発明によれば、複数の外部サービスにおける行動履歴データを学習することにより、ユーザの意思で直接的に入力する情報が少ない場合でも、ユーザの嗜好に合わせた最適な組み合わせの予約候補を提示することができる。
本発明の他の目的、特徴及び利点は添付図面に関する以下の本発明の実施例の記載から明らかになるであろう。
【図面の簡単な説明】
【００２７】
【図１】図１は、本発明による統合された予約支援システム全体を示す概念図である。
【図２】図２は、本発明による統合された予約支援システムの行動履歴データ取得部の処理を示す図である。
【図３】図３は、本発明による統合された予約支援システムの行動履歴データ記憶部に記憶される行動履歴データの一例を示す図である。
【図４】図４は、本発明による統合された予約支援システムの行程テンプレート作成部の処理を示す図である。
【図５】図５は、本発明による統合された予約支援システムのリコメンド生成部の処理を示す図である。
【発明を実施するための形態】
【実施例１】
【００２８】
図１は、本発明による統合された予約支援システム全体を示す概念図である。
本発明による統合された予約支援システム１は、複数の外部サービス２から行動履歴データを取得する行動履歴データ取得部１０と、行動履歴データ取得部１０で取得した行動履歴データを記憶する行動履歴データ記憶部２０と、ユーザ端末６０から出発地及び目的地の入力を受け付ける入出力部３０と、行動履歴データ記憶部２０に記憶された行動履歴データを学習し、複数の予約すべき項目を含む行程テンプレートを作成する行程テンプレート作成部４０と、入出力部で受け付けた出発地及び目的地に応じて、行程テンプレート作成部で作成された行程テンプレートを選択し、行動履歴データ記憶部に記憶された行動履歴データを学習して、選択した行程テンプレートの複数の予約すべき項目に関する予約候補のリコメンドを生成するリコメンド生成部５０とを備える。
【００２９】
ここで、外部サービス２とは、例えば、メッセージの送受信を行うことが可能な電子メールサービス３やＳＮＳサービス４、カレンダーに予定やＴｏｄｏ等に関するメッセージを記録することが可能なカレンダーサービス５、ユーザの興味、関心、嗜好を示すメッセージに基づいてニュースを検索又は配信することが可能なニュース配信サービス６等の各種サービスを指す。外部サービス２には、既に市場で展開されている複数の外部サービスが含まれるだけでなく、各種のメッセージの送受信、記録、利用が可能な将来追加され得るサービスも含み得る。
【００３０】
行動履歴データ取得部１０は、複数の外部サービス２から行動履歴データを取得する。行動履歴データ取得部１０は、外部サービス２においてやり取りされる電子メール等のメッセージをフィルタリングし、カテゴリごとにメッセージを行動履歴データとして取得する。行動履歴データとして取得するメッセージは、例えば、商品やサービスの予約や購入、飛行機、電車、バス、タクシー、シェアカー、レンタカー、レンタサイクル、船舶等の予約やチケットの購入、デリバリー、ホテル、飲食店等の予約や決済、イベントチケットの予約や購入、金融関連の手続や決済等に関するメッセージである。
【００３１】
これらのメッセージは、予めユーザからの同意を得て、行動履歴データとして取得される。また、これらのメッセージは、行動履歴データ取得部１０により、電子メールサービス３、ＳＮＳサービス４、カレンダーサービス５、ニュース配信サービス６等の外部サービス２から直接、取得されるようにしてもよい。また、これらのメッセージは、予めユーザからの同意を得て、これらの外部サービス２からクラウドサービス７に集約され、行動履歴データ取得部１０により、クラウドサービス７からこれらのメッセージを取得されるようにしてもよい。
【００３２】
行動履歴データ記憶部２０は、行動履歴データ取得部１０で取得した行動履歴データを記憶する。取得された行動履歴データは、データベース又はテーブルの形式で記憶される。行動履歴データ取得部１０及び行動履歴データ記憶部２０は、クラウド上に構築するようにしてもよい。また、行動履歴データ取得部１０と行動履歴データ記憶部２０とを合わせて１つのサーバとして構築するようにしてもよい。
【００３３】
入出力部３０は、ユーザ端末６０から出発地及び目的地の入力を受け付ける。入力される出発地及び目的地の情報は、都市名、駅名、空港名／港名、施設名、住所等であってもよい。出発地及び目的地の入力により特定される移動は、旅行や出張等の比較的長距離の移動だけでなく、通勤・通学、買い物その他の日常生活における比較的短距離の移動も含まれる。また、入出力部３０は、リコメンド生成部５０で生成した予約候補のリコメンドをユーザ端末６０に出力する。
【００３４】
行程テンプレート作成部４０は、行動履歴データ記憶部２０に記憶された行動履歴データを学習し、複数の予約すべき項目を含む行程テンプレートを作成する。行程テンプレートとは、典型的な行程のサンプルである。例えば、ある行程の出発地が東京、目的地が北海道であった場合に、複数の予約すべき項目として「飛行機、レンタカー、ホテル、飲食店」を含む行程テンプレートが作成され得る。
【００３５】
行程テンプレートは、その出発地及び目的地の組み合わせについて、多数のユーザが同じ組み合わせの交通、店舗、施設等を利用している場合に作成される。同じ出発地及び目的地の組み合わせについて、複数通りの行程テンプレートを作成してもよい。行程テンプレート作成部４０は、行動履歴データ記憶部２０に記憶された行動履歴データを学習することにより、多数のユーザが同じ組み合わせの交通、店舗、施設等を利用していることを認識し、行程テンプレートを作成する。
【００３６】
リコメンド生成部５０は、入出力部３０で受け付けた出発地及び目的地に応じて、行程テンプレート作成部４０で作成された行程テンプレートを選択する。また、リコメンド生成部５０は、行動履歴データ記憶部２０に記憶された行動履歴データを学習して、選択した行程テンプレートの複数の予約すべき項目に関する予約候補のリコメンドを生成する。
【００３７】
例えば、ある行程の出発地が東京、目的地が北海道であった場合に、リコメンド生成部５０は、複数の予約すべき項目として「飛行機、レンタカー、ホテル、飲食店」を含む行程テンプレートを選択し、予約すべき項目としての「飛行機、レンタカー、ホテル、飲食店」のそれぞれに関する予約候補のリコメンドを生成する。
【００３８】
図２は、本発明による統合された予約支援システム１の行動履歴データ取得部１０の処理を示す図である。
行動履歴データ取得部１０は、外部サービス２からユーザの行動履歴に関するメッセージを行動履歴データとして取得する。行動履歴データは、複数の外部サービス２においてやり取りされる電子メールのメッセージ、ＳＮＳでやり取りされるメッセージ、カレンダーに記憶されたメッセージ、ニュースを提供するアプリケーションに記憶されたメッセージ、又はクラウド上に記憶されたメッセージである。
【００３９】
ユーザの行動履歴には、例えば、購入、予約、予定、Ｔｏｄｏ、検索ワード、登録ワード等の情報が含まれ得る。即ち、商品やサービスの購入や予約等の購買行動のみならず、カレンダーへの予定やＴｏｄｏの登録、ニュース配信サービスでの検索、ユーザの興味、関心、嗜好等を示すキーワード等のニュース配信サービスへの登録等に関するユーザの過去の行動が、ユーザの行動履歴に含まれ得る。
【００４０】
また、予めユーザからの同意を得て、ユーザ端末６０から直接的に、又は外部サービス２を介して間接的に、ユーザ端末６０の位置情報を行動履歴データとして取得するようにしてもよい。行動履歴データ取得部１０は、ユーザ端末６０の位置情報を、各外部サービス２におけるメッセージのやり取りや検索・登録等のユーザの行動に関連付けて、その行動が行われたときの位置情報として取得し、行動履歴データ記憶部２０に記憶するようにしてもよい。位置情報は、ユーザ端末６０に備えられたＧＰＳ機能等により得ることができる。
【００４１】
また、ユーザ端末６０の現在地や移動の軌跡の情報を取得するためにユーザ端末６０の位置情報を取得するようにしてもよい。ユーザ端末６０の現在の位置情報や移動の軌跡は、ユーザが行程テンプレートに対応する行程に沿ってユーザが行動中であるか否かを判断するために用いることができる。
【００４２】
行動履歴データ取得部１０は、メッセージのやり取りを行う電子メールサービス３やＳＮＳサービス４から、商品又はサービスの購入や予約等の情報を取得することができる。例えば、行動履歴データ取得部１０は、電子メールで送信された商品の購入確認メールを解析することにより、購入日時、購入商品等の情報を取得することができる。これらの情報は、例えば、ユーザの嗜好に合った商品を購入することが可能なショッピング施設等をリコメンドするために用いることができる。
【００４３】
また、他の例では、行動履歴データ取得部１０は、電子メールで送信されたホテルの予約確認メールを解析することにより、ホテルの予約日時、場所、宿泊日、チェックイン予定時刻、チェックアウト予定時刻、宿泊日数、宿泊人数、部屋のタイプ、ホテルでの食事の有無、オプショナルツアーや施設の入場券等のオプションサービスの有無及び内容等の情報を取得することができる。これらの情報は、行程の基点となる場所を把握し、ホテルへの移動やホテルから移動に伴う交通手段の予約の要否や、ホテル周辺の飲食店の予約の要否等を判断するために用いることができる。例えば、夕食付きの宿泊プランの予約が完了している場合に、周辺レストランでの夕食の予約をリコメンドする必要性は低いため、予約情報を解析することで、無駄なリコメンドの生成を抑制し、情報過多になることを回避することができる。
【００４４】
更に他の例では、行動履歴データ取得部１０は、電子メールで送信された航空券の予約確認メールを解析することにより、フライトの出発時刻・到着時刻、出発地、目的地、航空会社、座席のタイプ、フライトの時間帯から判断した機内食の利用可能性等の情報を取得することができる。これらの情報は、行程の基点、あるいは始点・終点となる場所を把握し、空港からの移動や空港への移動に伴う交通手段の予約の要否や、飲食店の予約の要否等を判断するために用いることができる。
【００４５】
更に他の例では、行動履歴データ取得部１０は、電子メールで送信されたイベントや観光スポット・観光施設等のチケットの予約確認メールを解析することにより、イベントの開始時刻・終了時刻、開催地、イベント名、ジャンル、開催主体、施設等の営業時間、場所、施設名、ジャンル等の情報を取得することができる。これらの情報は、行程の基点、あるいは中間地点となる場所を把握し、イベント開場や施設等への移動、イベント会場や施設等から他の場所への移動に伴う交通手段の予約の要否等を判断するために用いることができる。また、音楽、演劇、祭り、展示会、セミナー等のイベントのジャンルや、名所旧跡、神社仏閣、景勝地、レジャーランド、テーマパーク、博物館、動物園、水族館等の観光スポットや観光施設のジャンルから、ユーザの興味、関心、嗜好を判断してリコメンドの生成するために用いることもできる。
【００４６】
行動履歴データ取得部１０は、カレンダーサービス５から、カレンダーに登録された予定やＴｏｄｏ等の情報を取得することができる。例えば、行動履歴データ取得部１０は、スマートフォンアプリやクラウド上のカレンダーから、カレンダーに登録された予定やＴｏｄｏの日付、開始時刻、終了時刻、曜日、場所、予定やＴｏｄｏの名称、予定やＴｏｄｏのジャンル等の情報を取得することができる。これらの情報は、行程の基点、あるいは中間地点となる場所を把握し、予定やＴｏｄｏに関する場所への移動やその場所から他の場所への移動に伴う交通手段の予約の要否等を判断するために用いることができる。
【００４７】
行動履歴データ取得部１０は、ニュース配信サービス６から、ニュース配信サービス６でのニュース記事の検索に用いた検索ワードや、ユーザの興味、関心、嗜好に合うニュースを配信するためにニュース配信サービス６に登録された登録ワード等の情報を取得することができる。例えば、行動履歴データ取得部１０は、スマートフォン用のニュースアプリから、そのニュースアプリでのニュース記事やコラム記事等の検索に用いた検索ワードや検索日時、閲覧した記事のジャンル等の情報を取得することができる。また、他の例では、行動履歴データ取得部１０は、政治、経済、国内、国際、スポーツ、ペット、コラム等のそのニュースアプリに登録されたユーザの興味、関心、嗜好に合う記事のジャンル等の情報を取得することができる。これらの情報は、ユーザの興味、関心、嗜好を判断してリコメンドの生成するために用いることもできる。
【００４８】
行動履歴データ取得部１０は、クラウドサービス７から、クラウドサービス７に集約された、電子メールサービス３、ＳＮＳサービス４、カレンダーサービス５、ニュース配信サービス６等の他の複数の外部サービス２からの情報を取得することができる。
【００４９】
以上のように、行動履歴データ取得部１０は、複数の外部サービス２から得られる異なる種類の情報を取得して統合することができる。また、行動履歴データ取得部１０は、取得した情報をカテゴリごとに分類するようにしてもよい。例えば、取得した情報を物販、交通、ホテル、飲食店、イベント等のカテゴリに分類するようにしてもよい。また、取得した情報を、カテゴリを更に細かく分類したサブカテゴリに分類するようにしてもよい。例えば、取得した情報を、交通のカテゴリを更に細かく分類した、飛行機、電車、船舶、タクシー、レンタカー等のサブカテゴリに分類するようにしてもよい。行動履歴データ取得部１０により外部サービス２から取得した情報は、行動履歴データ記憶部２０に記憶される。
【００５０】
図３は、本発明による統合された予約支援システム１の行動履歴データ記憶部２０に記憶される行動履歴データの一例を示す図である。
行動履歴データ記憶部２０に記憶される行動履歴データは、行動履歴データ取得部１０にて、複数の外部サービス２から取得される。図３の例では、項目として「ＩＤ」、「購入／予約日時」、「商品名／サービス名」、「場所」、「開始」、「終了」、「カテゴリ」、「ストア」を有する。項目「ＩＤ」にはデータの通し番号が格納される。項目「購入／予約日時」には、商品の購入日時又はサービスの予約日時が格納される。項目「商品名／サービス名」には、ユーザが購入した商品名又はユーザが予約をしたサービス名が格納される。項目「場所」には、商品又はサービスに関連する場所又は出発地及び到着地が格納される。例えば、航空券の予約の場合、場所として空港名を格納してもよい。項目「開始」には、サービスの開始日時が格納される。項目「終了」には、サービスの終了日時が格納される。例えば、航空券の予約の場合、項目「開始」にフライトの出発日時を格納し、項目「終了」にフライトの到着日時を格納してもよい。また、イベントの予約の場合、「開始」にイベントの開始日時、「終了」にイベントの終了日時を格納するようにしてもよい。項目「カテゴリ」には、商品又はサービスのカテゴリが格納される。例えば、「物販」、「交通」、「ホテル」、「施設」、「飲食店」、「イベント」等のカテゴリが格納される。カテゴリは更に細かいサブカテゴリを格納するようにしてもよい。例えば、「交通」のサブカテゴリである「飛行機」、「電車」、「タクシー」等を格納するようにしてもよい。項目「ストア」には、購入や予約に用いたオンラインストア等の名称が格納される。なお、図３の項目名及び項目の種類は例示であり、これらに限定されるものではない。
【００５１】
また、行動履歴データ記憶部２０には、行動履歴データ取得部１０にて、ユーザ端末６０から直接的に、又は外部サービス２を介して間接的に取得した、ユーザ端末６０の位置情報を行動履歴データとして記憶するようにしてもよい。また、行動履歴データ記憶部２０には、行動履歴データ取得部１０にて取得したユーザ端末６０の位置情報を、各外部サービス２におけるメッセージのやり取りや検索・登録等のユーザの行動に関連付けて、その行動が行われたときの位置情報として記憶するようにしてもよい。
【００５２】
図４は、本発明による統合された予約支援システム１の行程テンプレート作成部４０の処理を示す図である。
行程テンプレート作成部４０は、複数の予約すべき項目を含む行程テンプレートを作成する。一つの行程において、予約すべき項目は出発地及び目的地によって異なる。例えば、目的地が遠方である場合や複数の日程に跨る場合には、飛行機やホテルの予約が必要になるが、比較的近距離の移動であれば、交通手段の予約は必要でない場合も多い。このように、出発地及び目的地と、予約すべき項目との組み合わせには一定の傾向がある。行程テンプレート作成部４０は、行動履歴データ記憶部２０に記憶された多数のユーザの行動履歴データを学習することにより、この傾向を把握し、典型的な行程の例として、行程テンプレートを作成する。
【００５３】
また、出発地及び目的地が同じであっても、例えば、飛行機よりも新幹線での移動を好む等、ユーザごとに予約すべき項目は異なる。そのため、行程テンプレート作成部４０は、行動履歴データ記憶部２０に記憶されたユーザ本人の過去の行動履歴データを学習することにより、ユーザ本人の嗜好や傾向に合わせて、行程テンプレートを作成する。他の多数のユーザの傾向だけでなく、ユーザ本人の傾向を加味することにより、よりユーザ本人の嗜好に沿った行程テンプレートを作成することができる。
【００５４】
一方、新規ユーザ等、ユーザ本人が過去に予約支援システム１を利用したことがない場合や利用した回数が少ない場合であっても、他の多数のユーザの傾向に基づいて行程テンプレートを作成することができる。このように行動履歴データの学習を行うことで、ユーザからは出発地及び目的地の入力を受け付けるのみで、そのユーザに合わせた行程テンプレートを作成することができる。
【００５５】
図４に示すように行程テンプレート作成部４０は、行動履歴データ記憶部２０に記憶された、購入、予約、予定、Ｔｏｄｏ、検索ワード、登録ワード等の情報を含む行動履歴データを学習する。また、行程テンプレート作成部４０は、入出力部３０でユーザ端末６０から受け付けられた出発地及び目的地の情報を取得し、出発地及び目的地に合わせて行程テンプレートを作成する。行程テンプレート作成部４０により作成された行程テンプレートは、リコメンド生成部５０において、リコメンドを作成するために用いられる。また、行程テンプレート作成部４０は、作成した行程テンプレートを行動履歴データ記憶部２０に記憶し、過去に作成された行程テンプレートとして学習に用いることができるようにしてもよい。
【００５６】
図４の例では、出発地が「東京」、目的地が「北海道」である場合に、「飛行機、レンタカー、ホテル、飲食店」等を予約すべき項目として含む行程テンプレートを作成している。しかしながら、例えば、ユーザ本人が過去に飛行機又は新幹線での移動が可能な行程について、新幹線を選ぶ傾向が強い場合には、図４の行程テンプレートの「飛行機」に代えて「新幹線」を予約すべき項目として、行程テンプレートが作成される。
【００５７】
行程テンプレート作成部４０は、好ましくは、１つの行程につき複数の行程テンプレートを作成するが、１つの行程につき１つの行程テンプレートのみを作成するようにしてもよい。例えば、その行程につき初めて行程テンプレートを作成する場合や、多数のユーザのほぼ全員が同じ傾向にある場合には、１つの行程につき１つの行程テンプレートのみが作成されることもあり得る。一方、例えば、多数のユーザの傾向がほぼ二分されるような場合には、１つの行程につき２つの行程テンプレートが作成され、多数のユーザの傾向にばらつきがある場合には、１つの行程につき複数の行程テンプレートが作成されることが想定される。
【００５８】
また、行程テンプレートは、各予約すべき項目について、予約が完了したか否かの情報、及び完了した予約の内容についての情報を保持することができる。これにより、複数の予約すべき項目のうち、どの項目について予約が完了しており、どの項目について予約が完了していないかを管理することができる。これは、後にリコメンド生成部５０において、予約が完了していない項目のみについてリコメンドを生成することに利用できる。
【００５９】
行程テンプレートは、仮想的なテンプレートであり、データベース又はテーブルの形式で構成される。行程テンプレートに対しては、情報の追加や削除、修正、更新をすることができる。
【００６０】
以上の通り、行程テンプレート作成部４０は、行動履歴データ記憶部２０に記憶された過去の行動履歴データを学習し、ユーザが実際に採用する行程を予測して作成されたものである。これに基づいて、リコメンド生成部５０がリコメンドを行い、実際の行程が決定される。即ち、行程テンプレート作成部４０で作成される行程テンプレートはいわば仮の状態であり、この状態から必要に応じて更にカスタマイズされて実際の行程となる。
【００６１】
図５は、図５は、本発明による統合された予約支援システムのリコメンド生成部の処理を示す図である。
リコメンド生成部５０は、入出力部３０で受け付けた出発地及び目的地の情報に加えて、行動履歴データ記憶部２０に記憶された行動履歴データを学習することにより、ユーザの嗜好を考慮して、行程テンプレート作成部４０で作成された行程テンプレートを選択する。また、リコメンド生成部５０は、行動履歴データ記憶部２０に記憶された行動履歴データを学習することにより、ユーザの嗜好を考慮して、選択した行程テンプレートの複数の予約すべき項目に関する予約候補のリコメンドを生成する。なお、予約候補は、あくまで候補であり、予約が必須でない候補も含まれる。例えば、特急列車の特急券の指定席を予約しなくても自由席に乗車できる場合や、予約なしでも利用することができるレストラン等も候補としてリコメンドすることができる。
【００６２】
このようにリコメンド生成部５０は、行動履歴データを学習することによりリコメンドを生成する。これにより、ユーザが目的地に対する土地勘を有しておらず、どのような行程で移動すべきか不明な場合等であっても、ユーザは出発地及び目的地を入力するのみで、複数の交通機関等の移動手段だけでなく、宿泊や飲食等に関するリコメンドもまとめて受けられる。交通、宿泊、飲食等の複数の異なる種類の予約に対しても、それぞれのサービスごとにユーザが事細かに検索条件を入力する必要がなく、ユーザの手間を著しく省くことができる。
【００６３】
また、リコメンド生成部５０は、選択した行程テンプレートの複数の予約すべき項目の少なくともいずれかについて予約が完了したことを、行動履歴データから検知する。例えば、外部サービス２を介して、電子メールにて航空券の予約確認メールがユーザ端末６０に送信されると、その情報が行動履歴データ取得部１０を介して行動履歴データとして行動履歴データ記憶部２０に記憶され、リコメンド生成部５０は、その行動履歴データから、予約すべき項目のうち「飛行機」についての予約が完了したことを検知する。また、リコメンド生成部５０は、その行動履歴データから予約情報を取得する。
【００６４】
また、リコメンド生成部５０は、予約済の項目の予約内容を踏まえて、未だ予約が完了していない予約すべき項目のリコメンドを生成することができる。リコメンド生成部５０は、行程テンプレートの複数の予約すべき項目のうち、既に予約が完了している少なくとも１つ以上の予約完了項目の予約情報に基づいて、予約が完了していない少なくとも１つ以上の予約すべき項目に関する予約候補のリコメンドを更新する。例えば、予約すべき項目のうち「飛行機」についての予約が完了したことを検知すると、行動履歴データから予約情報を取得し、予約の内容に応じて、予約が完了していない「ホテル」について、予約候補をリコメンドするようにしてもよい。例えば、到着予定の空港の場所に応じて、ユーザが選択する可能性の高いホテルをリコメンドするようにしてもよい。
【００６５】
図５の例では、行程テンプレートの複数の予約すべき項目のうち、「飛行機」、「レンタカー」及び「飲食店」については予約が完了している状態を示しており、「飛行機」、「レンタカー」及び「飲食店」の予約情報に基づいて、ユーザが選択する可能性の高いホテルをリコメンドするようにしてもよい。この場合、例えば、「飛行機」が到着する空港から「ホテル」まで、あるいは「ホテル」から「飲食店」まで、「レンタカー」で移動することが便利な「ホテル」をリコメンドするようにしてもよい。また、他の多数のユーザ又はユーザ本人が、同じ目的地において、同じ条件の「飛行機」、「レンタカー」及び「飲食店」の予約が完了している場合に、選択する可能性が高い「ホテル」をリコメンドするようにしてもよい。
【００６６】
また、リコメンド生成部５０は、行程全体にかかる費用が安くなる組み合わせとなるように予約すべき項目のリコメンドを生成することができる。各項目の通常の費用を足し合わせた場合のみならず、特定の組み合わせについて特別な費用が設定される場合や、予約人数等に応じて価格が変動するダイナミック・プライシングを採用している場合についても考慮して行程全体にかかる費用が安くなる組み合わせを判断することができる。また、ある業者から他の業者への乗り換え（いわゆるブランドスイッチ）が行われる場合に特別な価格が設定される場合についても考慮して行程全体にかかる費用が安くなる組み合わせを判断することができる。この際、単純に価格の合計が安くなるだけでなく、ポイントの還元や割引クーポンの発行等により、実質的に費用が安くなる場合も考慮される。また、行動履歴データ記憶部２０に記憶されたユーザの過去の行動履歴データから、ユーザが他の指標よりも価格の優位性を重視して予約等を行っているか否か等を判断して、リコメンドの生成を行うようにしてもよい。
【００６７】
上記のような、（ｉ）特定の組み合わせについて特別な費用が設定される場合や、（ｉｉ）予約人数等に応じて価格が変動するダイナミック・プライシングを採用している場合、（ｉｉｉ）ある業者から他の業者への乗り換え（ブランドスイッチ）が行われる場合に特別な価格が設定される場合、（ｉｖ）ポイントの還元や割引クーポンの発行等により、実質的に費用が安くなる場合等の特別な条件については、行動履歴データ記憶部２０に記憶された行動履歴データから抽出される。例えば、外部サービス２を介して電子メールやＳＮＳ等にて特別なキャンペーンの通知がされ、その中に上記のような特別な条件が記載されていた場合、行動履歴データ取得部１０によりその条件が抽出され、行動履歴データ記憶部２０に記憶される。リコメンド生成部５０は、行動履歴データ記憶部２０に記憶された行動履歴データから得た特別な条件の情報を考慮して、リコメンドの作成を行うようにしてもよい。
【００６８】
例えば、図５の例では、行程テンプレートの複数の予約すべき項目のうち、「飛行機」、「レンタカー」及び「飲食店」についての予約が完了している場合に、「Ａホテル」と予約が完了している「飛行機」、「レンタカー」及び「飲食店」との組み合わせを採用した場合に、価格の特別な割引やポイントの還元等が適用される場合は、「Ａホテル」を優先してリコメンドを生成するようにしてもよい。
【００６９】
また、リコメンド生成部５０は、予約と次の予約との間の行動について、リコメンドを生成することができる。リコメンド生成部５０は、既に予約が完了している複数の予約完了項目を予約している時間に基づいて時系列に並べ替え、１つ目の予約完了項目と次の予約完了項目との間の行動や予約についてリコメンドを生成する。例えば、ホテルの予約と観光施設の予約が完了していた場合に、ホテルから観光施設への交通機関や、ホテルから観光施設の間で立ち寄ることが可能な飲食店についてリコメンドを生成するようにしてもよい。
【００７０】
また、リコメンド生成部５０は、予定の当日になる前に予め予約候補のリコメンドを行うだけでなく、予定の当日にもユーザの行動の状況に合わせてリコメンドを生成することができる。即ち、ユーザが予定の当日に予定していた行程に沿って行動している最中にリコメンドを生成することができる。リコメンド生成部５０は、現在の日時及びユーザ端末の現在の位置情報を取得し、作成した行程テンプレートに対応する行程に沿ってユーザが行動中であるか否かを判断し、ユーザが行程に沿って行動中であると判断した場合には、位置情報及び行程の進捗に合わせた新たな予約候補のリコメンドを生成する。例えば、ユーザ端末の現在の位置情報から、ユーザが空港に到着したことを判断し、ホテルまでの移動手段として電車、レンタカー、タクシー等の利用をリコメンドするようにしてもよい。
【００７１】
また、リコメンド生成部５０は、日常や旅先等での交通等のアクシデントに対応して、リコメンドを生成することができる。リコメンド生成部５０は、現在の日時及びユーザ端末の現在の位置情報を取得し、作成した前記行程テンプレートに対応する行程の通りにユーザが行動することを妨げる要因が生じた場合には、以降の行程について新たな予約候補のリコメンドを生成する。例えば、予約していたフライトの運休を知らせる電子メールが通知された場合に、飛行機に代えて新幹線の予約や利用をリコメンドするようにしてもよい。また、例えば、電子メールで電車の遅延が通知され、次の移動先である飲食店の予約に間に合わないと判断した場合に、別ルートとして、タクシーの予約や利用をリコメンドするようにしてもよい。
【００７２】
また、リコメンド生成部５０は、出張や旅行等の移動を伴う行程に対してだけでなく、日常の生活の中で行われる予約についてもリコメンドを生成することができる。リコメンド生成部５０は、行動履歴データ記憶部に記憶された行動履歴データを学習して得られたユーザの時間帯ごとの行動履歴から、現在の時刻に応じた予約候補のリコメンドを生成する。例えば、１８：３０〜の予約で１週間後の金曜日のディナーの予約をすることが多いユーザに対しては、金曜日に１週間後の金曜日の１８：３０〜の予約が可能なディナーのプランをリコメンドするようにしてもよい。
【００７３】
また、リコメンド生成部５０は、事前に予約をする必要がないものについてもリコメンドを生成することができる。例えば、１２：００〜１３：００の間に飲食店で昼食を取ることが多いユーザに対しては、１２：００前後になるとランチの時間帯に営業をしている飲食店をリコメンドするようにしてもよい。また、平日の１９：００以降にチケットの予約をすることなく映画を観る傾向があるユーザに対しては、当日の１９：００以降に観ることができる映画をリコメンドするようにしてもよい。
【００７４】
また、リコメンド生成部５０は、ユーザが日常と非日常とで行動が変わる傾向がある場合にも対応することができる。リコメンド生成部５０は、行動履歴データ記憶部に記憶された行動履歴データを学習して得られたユーザの行動履歴から、ユーザの現在の行動が、日常的行動であるか、非日常的行動であるかを判断し、日常的行動であるか、非日常的行動であるかに応じて、予約候補のリコメンドを生成する。例えば、日常生活においては、飲食店で昼食を取ることは少ないが、旅行先等では必ず飲食店で昼食を取る傾向にあるユーザの場合に、ユーザが旅行先等で非日常的行動をしている最中にのみ昼食の時間帯に飲食店をリコメンドするようにしてもよい。
【００７５】
上記で説明したリコメンド生成部５０の機能は、それぞれ単独でも実装し得る他、上記で説明したリコメンド生成部５０の機能の全てを備えることもでき、複数の機能のあらゆる任意の組み合わせも可能である。
【００７６】
以上に述べた通り、本発明の統合された予約支援システム１によれば、メールサービスやカレンダー、Ｔｏｄｏ、ニュースアプリ等のユーザが日常的に利用している複数の外部サービス２における行動履歴データを学習することにより、ユーザに細かな条件の入力を要求することなく、移動、宿泊、飲食等の種類の異なる複数のサービスの最適な組み合わせの予約候補を提示することができる。これにより、ユーザは予約のために複数の異なる予約サイトを横断しながら複雑な比較検討をすることなく、一連の行程に関し一括してユーザの嗜好に応じたリコメンドを享受することができる。
【００７７】
本発明の統合された予約支援システム１は、生成したリコメンドをユーザ端末６０に表示するアプリケーションとして実装する場合だけでなく、他のシステムに組み込むために、リコメンドを生成するところまでを行うリコメンドエンジンとして利用することもできる。また、統合された予約支援システム１は、他のシステムに組み込むために、行動履歴データを取得するところまでを行う行動履歴データ取得エンジンとして利用することもできる。また、統合された予約支援システム１は、他のシステムに組み込むために、行程テンプレートを作成するところまでを行う行程テンプレート作成エンジンとして利用することもできる。
【００７８】
また、本発明の統合された予約支援システム１の変形例においては、ユーザが実際に採用し体験した行程や、その行程に含まれていた各種の予約について、ユーザが評価やレビューを付与することができるようにしてもよい。また、その評価やレビューについても行動履歴データとして取得し、評価やレビューと関連付けられた行動履歴データを学習することにより、ユーザ本人又は他の多数のユーザの評価やレビューを行程テンプレートの作成やリコメンドの作成に反映させるようにしてもよい。その際、評価やレビューは統合された予約支援システム１内で蓄積してもよいが、外部サービス２の一種としてのファンサイトやＳＮＳサービス４等により、評価やレビューを蓄積し、行動履歴データ取得部１０によりこれらの外部サービス２から評価やレビューを取得するようにしてもよい。
【００７９】
このように、本発明の統合された予約支援システム１は、上記に例示された場合に限られず、他の外部サービス２を介した行動履歴データの取得が可能であり、例示された以外の異なる種類のサービスを更に統合することにより、行程テンプレートやリコメンドの作成の精度及び品質を更に高めることをも想定し得るものである。
上記記載は実施例についてなされたが、本発明はそれに限らず、本発明の原理及び添付の請求の範囲の範囲内で種々の変更および修正をすることができることは当業者に明らかである。
【符号の説明】
【００８０】
１  予約支援システム
２  外部サービス
１０  行動履歴データ取得部
２０  行動履歴データ記憶部
３０  入出力部
４０  行程テンプレート作成部
５０  リコメンド生成部
６０  ユーザ端末
【図１】
0006845588.tif 000002
【図２】
0006845588.tif 000003
【図３】
0006845588.tif 000004
【図４】
0006845588.tif 000005
【図５】
0006845588.tif 000006